(57)【要約】      （修正有）【課題】主収容部の強度確保及び柔軟性の向上を図るランドセルを提供する。【解決手段】背板、一対の側板、前板及び底板によって箱状に構成された大襠部（主収容部）を備えたランドセルであり、背板、側板、前板及び底板は、それぞれの内側に、それぞれを弾性的に支持するプラスチック板製の背心材１１、側心材２１、前心材３１及び底心材４１を有しており、これらの弾性を有するプラスチック板製の背心材１１、側心材２１、前心材３１及び底心材４１を、一体的に構成することにより、大襠部の強度確保及び柔軟性の向上を図るようになっている。【選択図】図１
0003165210.tif 000002
【実用新案登録請求の範囲】
【請求項１】
背板、一対の側板、前板及び底板によって箱状に構成された主収容部を備えたランドセルであって、
前記背板は、その外面より内側に当該背板を弾性的に支持するプラスチック板製の背心材を有し、
前記各側板は、その外面より内側に当該各側板を弾性的に支持するプラスチック板製の側心材を有し、
前記前板は、その外面より内側に当該前板を弾性的に支持するプラスチック板製の前心材を有し、
前記底板は、その外面より内側に当該底板を弾性的に支持するプラスチック板製の底心材を有しており、
前記背心材、前記各側心材、前記前心材及び前記底心材は、一体的に構成されていることを特徴とするランドセル。
【請求項２】
前記背心材、前記各側心材、前記前心材及び前記底心材は、複数の抜き孔を有する板又はそのような抜き孔の無い板によって形成されていることを特徴とする請求項１に記載のランドセル。
【請求項３】
前記各側心材と前記底心材とは、１枚の帯状の板をＵ字状に折り曲げることによって、一体的に構成されており、
前記各側心材及び前記底心材は、その一方の側縁部を前記背心材の左右及び下方の側縁部に沿うように折り曲げることによって形成された第１の接続代を有し、当該第１の接続代を前記背心材に接続することによって、当該背心材と一体的に構成されており、
前記前心材は、左右及び下方の側縁部を前記各側心材及び前記底心材における他方の側縁部に沿うように折り曲げることによって形成された第２の接続代を有し、当該第２の接続代を前記各側心材及び前記底心材の他方の側縁部に接続することによって、当該各側心材及び底心材と一体的に構成されていることを特徴とする請求項１又は２に記載のランドセル。
【請求項４】
前記第１の接続代は、前記背心材に直接的に接続されるようになっており、
前記第２の接続代は、前記各側心材及び前記底心材に直接的に接続されるようになっていることを特徴とする請求項３に記載のランドセル。
【請求項５】
前記第１の接続代は、前記各側心材、前記底心材及び前記背心材のそれぞれの外面及び又は内面に設けられる少なくとも一の表皮材を挟んだ状態で、前記背心材に間接的に接続されるようになっており、
前記第２の接続代は、前記各側心材、前記底心材及び前記前心材のそれぞれの外面及び又は内面に設けられる少なくとも一の表皮材を挟んだ状態で、前記各側心材及び前記底心材に間接的に接続されるようになっていることを特徴とする請求項３に記載のランドセル。
【考案の詳細な説明】
【技術分野】
【０００１】
本考案は、箱状に形成された主収容部を有するランドセルに関するものである。
【背景技術】
【０００２】
この種のランドセルとしては、図４に示すように、背板１、左右一対の側板２、前板３及び底板４によって箱状に構成された大襠部（主収容部）５を備えると共に、この大襠部５の前方に小襠部６等を備え、これらの大襠部５及び小襠部６等の上方開口部５ａ、６ａ等を冠７によって開閉するように構成されたものが知られている（例えば特許文献１）。また、大襠部５は、その開口部５ａを構成する部分が、図５に示すように、補強部片５ｂによって強化された構造のものになっている。
【０００３】
なお、各側板２の内面側に補強板材（図示せず）を貼着したものも知られている（例えば、特許文献２）。
【０００４】
上記のように構成された従来のランドセルにおいては、大襠部５が補強部片５ｂや補強板材等によって強化されていることから、頑丈な構造にはなるものの、その反面、容易に変形することのない硬い構造のものになっており、子供が取り扱う上で重要な要素の一つである柔軟性に欠けるという問題があった。
【先行技術文献】
【特許文献】
【０００５】
【特許文献１】特許第４３８４６１９号公報
【特許文献２】特許第３３８７８７４号公報
【考案の概要】
【考案が解決しようとする課題】
【０００６】
本考案は、上記事情に鑑みてなされたものであり、主収容部（大襠部）の強度を十分に保ちながら、その主収容部の柔軟性の向上を図ることのできるランドセルを提供することを課題としている。
【課題を解決するための手段】
【０００７】
上記課題を解決するため、請求項１に記載の考案は、背板、一対の側板、前板及び底板によって箱状に構成された主収容部を備えたランドセルであって、前記背板は、その外面より内側に当該背板を弾性的に支持するプラスチック板製の背心材を有し、前記各側板は、その外面より内側に当該各側板を弾性的に支持するプラスチック板製の側心材を有し、前記前板は、その外面より内側に当該前板を弾性的に支持するプラスチック板製の前心材を有し、前記底板は、その外面より内側に当該底板を弾性的に支持するプラスチック板製の底心材を有しており、前記背心材、前記各側心材、前記前心材及び前記底心材は、一体的に構成されていることを特徴としている。
【０００８】
請求項２に記載の考案は、請求項１に記載の考案において、前記背心材、前記各側心材、前記前心材及び前記底心材は、複数の抜き孔を有する板又はそのような抜き孔の無い板によって形成されていることを特徴としている。
【０００９】
請求項３に記載の考案は、請求項１又は２に記載の考案において、前記各側心材と前記底心材とは、１枚の帯状の板をＵ字状に折り曲げることによって、一体的に構成されており、前記各側心材及び前記底心材は、その一方の側縁部を前記背心材の左右及び下方の側縁部に沿うように折り曲げることによって形成された第１の接続代を有し、当該第１の接続代を前記背心材に接続することによって、当該背心材と一体的に構成されており、前記前心材は、左右及び下方の側縁部を前記各側心材及び前記底心材における他方の側縁部に沿うように折り曲げることによって形成された第２の接続代を有し、当該第２の接続代を前記各側心材及び前記底心材の他方の側縁部に接続することによって、当該各側心材及び底心材と一体的に構成されていることを特徴としている。
【００１０】
請求項４に記載の考案は、請求項３に記載の考案において、前記第１の接続代は、前記背心材に直接的に接続されるようになっており、前記第２の接続代は、前記各側心材及び前記底心材に直接的に接続されるようになっていることを特徴としている。
【００１１】
請求項５に記載の考案は、請求項３に記載の考案において、前記第１の接続代は、前記各側心材、前記底心材及び前記背心材のそれぞれの外面及び又は内面に設けられる少なくとも一の表皮材を挟んだ状態で、前記背心材に間接的に接続されるようになっており、前記第２の接続代は、前記各側心材、前記底心材及び前記前心材のそれぞれの外面及び又は内面に設けられる少なくとも一の表皮材を挟んだ状態で、前記各側心材及び前記底心材に間接的に接続されるようになっていることを特徴としている。
【考案の効果】
【００１２】
請求項１に記載の考案によれば、背板、各側板、前板及び底板のそれぞれを弾性的に支持する背心材、各側心材、前心材及び底心材をプラスチック板によって一体的に構成しているので、主収容部が弾性的に屈曲変形し易いものになると共に、主収容部自体が応力外皮構造（モノコック構造）による応力分散性に優れた強度の高いものになる。従って、主収容部の柔軟性の向上を図ることができると共に、その主収容部の強度を十分に確保することができるという顕著な効果を奏する。
【００１３】
請求項２に記載の考案によれば、背心材、各側心材、前心材及び底心材を複数の抜き孔を有するプラスチック板で形成した場合には、弾性的な屈曲変形性の部分的向上、重量の低減、通気性の確保等を図ることができる。一方、抜き孔の無いプラスチック板で形成した場合には、弾性的な屈曲変形性の均一化、防水性の向上等を図ることができる。従って、これらのプラスチック板を背板、各側板、前板及び底板の各心材として使い分けることにより、全体として優れた性能を有するランドセルを得ることができる。
【００１４】
請求項３に記載の考案によれば、各側心材と底心材とが１枚の帯状の板をＵ字状に折り曲げることによって一体的に構成しているので、教科書等の内容物による荷重が直接的に作用する底板及びその荷重の伝達ラインにある各側板の耐久性の向上を図ることができる。
【００１５】
また、背心材、側心材、前心材及び底心材に曲げ荷重やモーメントが作用することにより、背心材と各側心材及び底心材との接続部や、前心材と各側心材及び底心材との接続部に、最大曲げモーメントが発生することが予想されるが、これらの接続部が第１の接続代及び第２の接続代によって厚く構成された状態になっているので、その曲げモーメントによって発生する応力の低減を図ることができる。従って、耐久性の向上を図ることができる。
【００１６】
請求項４に記載の考案によれば、第１の接続代が背心材に直接的に接続され、第２の接続代が各側心材及び底心材に直接的に接続さるようになっているので、背心材、各側心材、底心材及び前心材からなる応力外皮構造の一体性を高めることができ、主収容部の耐久性の向上を図る上で有利である。
【００１７】
請求項５に記載の考案によれば、第１の接続代が少なくとも一の表皮材を挟んだ状態で背心材に間接的に接続され、第２の接続代が少なくとも一の表皮材を挟んだ状態で各側心材及び底心材に間接的に接続されているので、背心材、各側心材、底心材及び前心材からなる応力外皮構造における第１の接続代や、第２の接続代の各部位において、表皮材による緩衝効果を得ることができ、主収容部の柔軟性の向上を図る上で有りである。
【図面の簡単な説明】
【００１８】
【図１】本考案の一実施例として示したランドセルにおける大襠部（主収容部）の心材を示す図であり、（ａ）は背心材、左右の各側心材、前心材及び底心材を一体的に構成した状態を示す斜視図であり、（ｂ）は背心材、左右の各側心材、前心材及び底心材を一体的に構成し、その開口部等に補強部材を取り付けた状態を示す斜視図である。
【図２】同ランドセルにおける大襠部の各心材を個々に示す図であって、（ａ）は背心材を示す正面図であり、（ｂ）は展開した状態の前心材を示す正面図であり、（ｃ）は展開した状態の左右の各側心材及び底心材を示す正面図である。
【図３】同ランドセルの外観を示す斜視図である。
【図４】従来例として示したランドセルの要部斜視図である。
【図５】同ランドセルおける大襠部の開口部に設けられた補強部片を示す要部斜視図である。
【考案を実施するための形態】
【００１９】
以下、本考案を実施するための形態について一実施例に基づいて詳細に説明する。なお、従来例で示した構成要素と共通する要素には同一の符号を付し、その説明を簡略化する。
【実施例】
【００２０】
この実施例で示すランドセルは、図３に示すように、背板１、左右一対の側板２、前板３及び底板４によって矩形状の箱状に形成された大襠部（主収容部）５や、この大襠部５の前方に配置された小襠部６等を有し、これらの大襠部５及び小襠部６等の上方開口部５ａ、６ａ等が冠７によって開閉可能になっている。
【００２１】
背板１は、ほぼ四角形の板状に形成されており、その外面（表面）側に、背負う者の背中に適度な弾力性をもって当接するクッション部１ａが設けられている。また、背板１の上部中央には、背環８１が設けられており、その背環８１に肩紐８２の一端部が取り付けられるようになっている。なお、肩紐８２の他端部は、底板４に設けられた図示しないダルマ環に取り付けられるようになっている。
【００２２】
また、背板１は、その外面側のクッション部１ａ（図３参照）の内側に、当該背板１を弾性的に支持する背心材１１（図１（ａ）参照）を有している。背心材１１は、例えば発泡ポリウレタン製のプラスチック板によって形成されており、背板１を全体的に支持することが可能な形状及び大きさに設定されている。
【００２３】
各側板２は、その外面に設けられる表皮材より内側に、当該側板２を弾性的に支持する側心材２１を有している。側心材２１は、例えばポリプロピレン製のプラスチック板によって形成されており、後述する第１の接続代Ｃ４を除く部分が側板２を全体的に支持することが可能な形状及び大きさに設定されている。
【００２４】
前板３は、その外面に設けられる表皮材より内側に、当該前板３を弾性的に支持する前心材３１を有している。前心材３１は、例えばポリプロピレン製のプラスチック板によって形成されており、後述する第２の接続代３１ａを除く部分が前板３を全体的に支持することが可能な形状及び大きさに設定されている。
【００２５】
底板４は、その外面に設けられる表皮材より内側に、当該底板４を弾性的に支持する底心材４１を有している。底心材４１は、例えばポリプロピレン製のプラスチック板によって形成されており、後述する第１の接続代Ｃ４を除く部分が底板４を全体的に支持することが可能な形状及び大きさに設定されている。
【００２６】
背心材１１、各側心材２１、前心材３１及び底心材４１は、図１（ａ）に示すように、一体的に構成されている。
【００２７】
また、各側心材２１及び底心材４１は、図２（ｃ）に示すように、１枚の帯状のプラスチック板を２つの平行な折曲線Ｃ１、Ｃ２のそれぞれに沿って略直角に折り曲げることによって、Ｕ字状に一体的に形成されている。この場合、折曲線Ｃ１、Ｃ２の間が底心材４１となり、その間の外側が各側心材２１となる。
【００２８】
更に、各側心材２１及び底心材４１は、その一方の側縁部に背心材１１との接続を図る第１の接続代Ｃ４を有している。この背心材１１は、各側心材２１及び底心材４１の一方の側縁に平行に延在する折曲線Ｃ３に沿って略直角に折り曲げられ、これによって図２（ａ）に示す背心材１１の左右及び下方の側縁部に沿うように外方に折り曲げられた状態になるようになっている。また、第１の接続代Ｃ４には、図２（ｃ）に示すように、折曲線Ｃ１、Ｃ２に対応する各位置に、一方の側縁から当該各折曲線Ｃ１、Ｃ２に達するように切込みＣ５、Ｃ６が形成されている。これらの切り込みＣ５、Ｃ６は、側心材２１と底心材４１との境の角部において、各第１の接続代Ｃ４を外方への折り曲げることを可能にしている。なお、第１の接続代Ｃ４は、図２（ｃ）において、単一方向の斜線を付して示している。
【００２９】
一方、背心材１１は、図２（ａ）に示すように、左右及び下方の側縁部における第１の接続代Ｃ４と接続する部分が第３の接続代１１ａとなっている。この第３の接続代１１ａについては、図２（ａ）において、単一方向の斜線を付して示すことにより、第１の接続代Ｃ４との接続を図る部分であることを明示している。また、背心材１１は、他の側心材２１、前心材３１及び底心材４１に比べて厚さが厚く曲げ剛性の大きなものになっていると共に、複数の抜き孔１１ｂを所定の位置に設けたものになっている。抜き孔１１ｂは、クッション部１ａ内の空気の出入りを可能にすると共に、背負う者の背中になじむように必要な部分の柔軟性を向上させるように配置されている。
【００３０】
前心材３１は、図１及び図２（ｂ）に示すように、左右及び下方の側縁部を各側心材２１及び底心材４１の他方の側縁部に沿うように折り曲げることによって形成された第２の接続代３１ａを有しており、各第２の接続代３１ａを介して、各側心材２１及び底心材４１の他方の側縁部に一体的に接続されるようになっている。
【００３１】
即ち、第２の接続代３１ａは、図２（ｂ）に示すように、前心材３１における左右及び下方の各側縁に平行に延在する折曲線３１ｂに沿って略直角に折り曲げることによって形成され、Ｕ字状に形成された各側心材２１及び底心材４１における他方の側縁部の内面に当接するようになっている。また、前心材３１には、左右の各側縁部と下方の側縁部との境の角部に、各第２の接続代３１ａの曲げ加工を可能にする切欠３１ｃが形成されている。なお、第２の接続代３１ａについては、図２（ｂ）において、互いに交差する斜線を付して示している。
【００３２】
また、各側心材２１及び底心材４１は、図２（ｃ）に示すように、他方の側縁部における各第２の接続代３１ａと接続する部分が第４の接続代Ｃ７となっている。この第４の接続代Ｃ７については、図２（ｃ）において、互いに交差する斜線を付して示すことにより、第２の接続代３１ａとの接続を図る部分であることを明示した。
【００３３】
上記背心材１１、各側心材２１、前心材３１及び底心材４１は、まず前心材３１の第２の接続代３１ａを接着剤等によって各側心材２１及び底心材４１の第４の接続代Ｃ７に仮止め又は強固に接続し、それから各側心材２１及び底心材４１の第１の接続代Ｃ４を接着剤等によって背心材１１の第３の接続代１１ａに仮止め又は強固に接続することにより、図１（ａ）に示すような応力外皮構造を構成する。
【００３４】
また、開口部５ａや角部について補強する場合には、図１（ｂ）に示すように柔軟性を有するプラスチック製の補強部材５ｃ、５ｄ、５ｅを接着剤等で仮止め又は強固に接続する。
【００３５】
その上で、外面及び内面の必要な箇所に着色や化粧等を兼ねた表皮材を貼り付けてから、第２の接続代３１ａと第４の接続代Ｃ７とを縫着すると共に、第１の接続代Ｃ４と第３の接続代１１ａとを縫着する。これにより、各側心材２１及び底心材４１と前心材３１とが第２の接続代３１ａを介して直接的に接続され、かつ各側心材２１及び底心材４１と背心材１１とが第１の接続代Ｃ４を介して直接的に接続された応力外皮構造を有する大襠部５が完成する。
【００３６】
なお、補強部材５ｃ、５ｄについては、その上に表皮材等を被せてから、その表皮材等と共に背心材１１、側心材２１、前心材３１等に縫着されることになる。また、大襠部５の製造手順については、上記以外の種々の手順を採用することが可能である。
【００３７】
上記のように構成されたランドセルにおいては、背板１、各側板２、前板３及び底板４のそれぞれを弾性的に支持する背心材１１、各側心材２１、前心材３１及び底心材４１をプラスチック板によって一体的に構成しているので、大襠部５が弾性的に屈曲変形し易いものになると共に、当該大襠部５自体が応力外皮構造（モノコック構造）からなる応力分散性に優れた強度の高いものになる。従って、大襠部５として柔軟性の高いものを提供することができると共に、その大襠部５全体の強度の向上を図ることができる。
【００３８】
また、背心材１１に複数の抜き孔１１ｂを設けることにより、クッション部１ａ内の空気の出入りが可能になると共に、人体の背中になじむように必要な部分の柔軟性を向上させることができ、かつ重量の低減も図ることができる。一方、抜き孔の無い側心材２１、前心材３１、底心材４１を備えた部分については、柔軟性の向上と強度の向上を両立させることができると共に、防水性の向上等を図ることができる。従って、ランドセル全体の性能を向上させることができる。
【００３９】
しかも、各側心材２１と底心材４１とが１枚の帯状のプラスチック板をＵ字状に折り曲げることによって一体的に形成されているので、教科書等の内容物による荷重が直接的に作用する底板４及びその荷重の伝達ラインにある左右の側板２の耐久性の向上を図ることができる。
【００４０】
また、背心材１１、側心材２１、前心材３１及び底心材４１に曲げ荷重やモーメントが作用することにより、背心材１１と各側心材２１及び底心材４１との接続部や、前心材３１と各側心材２１及び底心材４１との接続部に、最大曲げモーメントが発生することが予想されるが、これらの接続部が第１の接続代Ｃ４や、第２の接続代３１ａによって厚く構成された状態になっているので、その曲げモーメントによって発生する応力の低減を図ることができる。
【００４１】
そして、上述した各側心材２１及び底心材４１が第１の接続代Ｃ４を介して背心材１１に直接的に接続され、前心材３１も各側心材２１及び底心材４１に第２の接続代３１ａを介して直接的に接続されているので、一体性において特に優れた応力外皮構造の心材を備えた大襠部５を得ることができ、耐久性の向上を図る上において有利となっている。
【００４２】
なお、上記実施例においては、第１の接続代Ｃ４と背心材１１とを直接的に接続し、かつ第２の接続代３１ａと各側心材２１及び底心材４１とを直接的に接続するように構成したが、その第１の接続代Ｃ４と背心材１１との間や、第２の接続代３１ａと各側心材２１及び底心材４１との間に少なくとも一の表皮材を介在させた状態で間接的に接続するように構成してもよい。
【００４３】
即ち、背心材１１、各側心材２１、前心材３１及び底心材４１のそれぞれの外面及び又は内面に化粧等を兼ねた表皮材を設けた上で、これらの背心材１１、各側心材２１、前心材３１及び底心材４１を、第１の接続代Ｃ４及び第２の接続代３１ａを介して接続することにより、第１の接続代Ｃ４と背心材１１とが少なくとも一の表皮材を介して間接的に接続された状態になると共に、第２の接続代３１ａと各側心材２１及び底心材４１とが少なくとも一の表皮材を介して間接的に接続された状態になるように構成してもよい。
【００４４】
この場合には、第１の接続代Ｃ４や、第２の接続代３１ａの各部位において、表皮材による緩衝効果を得ることができるので、大襠部５の柔軟性の向上を図る上で有利でなる。
【００４５】
また、背心材１１にのみ抜き孔１１ｂを設けた例を示したが、この抜き孔については他の側心材２１、前心材３１、底心材４１に設けるようにしてもよい。そして、この抜き孔については、単に円形状等の孔を開けることにより得られるものだけでなく、これらの心材１１、２１、３１、４１を網目状の板で構成することにより得られるようなものであってもよい。即ち、各心材１１、２１、３１、４１は、例えばプラスチック製の網板によって形成したものであってもよい。
【符号の説明】
【００４６】
１  背板
２  側板
３  前板
４  底板
５  大襠部（主収容部）
１１  背心材
１１ｂ  抜き孔
２１  側心材
３１  前心材
３１ａ  第２の接続代
４１  底心材
Ｃ４  第１の接続代
【図１】
0003165210.tif 000003
【図２】
0003165210.tif 000004
【図３】
0003165210.tif 000005
【図４】
0003165210.tif 000006
【図５】
0003165210.tif 000007